(57)【要約】【課題】操業パターンの変化にも柔軟に対応できるプラント操業支援装置、を適切に行うことができるプラント操業支援装置、プラント操業支援方法、コンピュータプログラム及び記憶媒体を提供すること。【解決手段】プロセスに対する操作と前記操作によるプロセスデータの変化との組み合わせを含む操業パターンを蓄積しておく操業パターンデータベースと、前記操業パターンを参照しかつ外部操作に基づいて前記操業パターンを改変して前記プロセスへの操業指令を作成する操業指令部とを有するプラント操業支援装置であって、前記操業指令部での前記操業パターンの改変を検出する操業パターン改変検出部と、検出された前記改変の内容に基づいて前記操業パターンを編集する操業パターン編集部と、を有する。【選択図】図１
2010108079.tif 000002
【特許請求の範囲】
【請求項１】
プロセスに対するオペレータの指示に基づく操作と前記操作によるプロセスデータの変化との組み合わせを含む操業パターンを蓄積しておく操業パターンデータベースと、前記操業パターンを参照しかつオペレータの指示に基づく操作に基づいて前記操業パターンを改変して前記プロセスへの操業指令を作成する操業指令部とを有し、オペレータへの操業パターンを提示して操業ガイダンスするプラント操業支援装置であって、
前記操業指令部での前記操業パターンの改変を検出する操業パターン改変検出部と、
検出された前記改変の内容に基づいて前記操業パターンを編集する操業パターン編集部と、を有することを特徴とするプラント操業支援装置。
【請求項２】
請求項１に記載されたプラント操業支援装置において、
前記操業パターン改変検出部は、前記改変として前記操業パターンに含まれる操作の変更、省略、追加の少なくとも何れかを検出することを特徴とするプラント操業支援装置。
【請求項３】
請求項１または請求項２に記載されたプラント操業支援装置において、
前記操業パターン改変検出部で検出された前記改変の検出履歴を蓄積する検出履歴データベースと、前記操作の変更、省略、追加の何れかが予め指定された累積回数になった際に前記改変の内容を前記操業パターン編集部へ送る頻度検出部と、を有することを特徴とするプラント操業支援装置。
【請求項４】
前記操業パターン編集部は、前記改変の内容に基づいて編集した改訂操業パターンを表示し、オペレータの確認を得てから前記操業パターンデータベースに登録することを特徴とするプラント操業支援装置。
【請求項５】
プロセスに対するオペレータの指示に基づく操作と前記操作によるプロセスデータの変化との組み合わせを含む操業パターンを蓄積しておくステップと、前記操業パターンを参照しかつオペレータの指示に基づく操作に基づいて前記操業パターンを改変して前記プロセスへの操業指令を作成するステップとを有し、オペレータへの操業パターンを提示して操業ガイダンスするプラント操業支援方法であって、
前記操業指令部での前記操業パターンの改変を検出するステップと、
検出された前記改変の内容に基づいて前記操業パターンを編集するステップと、を有することを特徴とするプラント操業支援方法。
【請求項６】
コンピュータシステムに読み込み可能で、このコンピュータシステムを請求項１に記載のプラント操業支援装置として機能させることを特徴とするコンピュータプログラム。
【請求項７】
請求項６に記載のコンピュータプログラムを記憶したことを特徴とするコンピュータ読み取り可能な記憶媒体。
【発明の詳細な説明】
【技術分野】
【０００１】
本発明は、プラント操業支援装置、プラント操業支援方法、コンピュータプログラム及び記憶媒体に関し、特に、高炉のような複雑な化学反応プロセス等の製造プロセスで処理するプラントの操業支援を行うために用いて好適な技術に関する。
【背景技術】
【０００２】
プラントの操業管理には、コンピュータシステムとネットワークにより構成されたプラント管理システムが用いられる。このプラント管理システムにおいては、プラント各部からプロセスデータを取得し、このデータを参照して操作を加え、プロセスを所望の状態となるようにしている。
多くのプラント管理システムでは運転の自動化が進められているが、例えば複雑な反応系を有するプロセスについては、熟練したオペレータによる判断およびプロセスの応答を参照しながらの細かな操作が必要とされている。
【０００３】
特に、高炉のように固体、液体、気体の反応が同時進行する複雑な反応系を持つプラントにおいては、各反応における応答時間（時定数）が数秒から数時間まで様々である。例えば、高炉内に熱風炉から吹き込まれる熱風の挙動は数秒単位で応答があるが、炉内各部の温度変化は時間単位ないし日単位となる。また、焼結鉱やコークス等装入物の下降状況や融着帯および炉心の状況の変化は日単位ないし月単位となることもある。このようなプラントにおいては、特に応答時間の長いものほど、応答の結果を予測した早めの操作が必要となる。
また、高炉のような複雑なプロセスにおいては、任意の部位の温度上昇など一つの現象に対して複数の原因が存在することがあり、これに対する対応方法も複数存在する。このようなプラントでは、その時々の周囲の状況までを的確に判断し、同じ温度上昇という現象に対して臨機応変に対応し、一つの操作によって変化したプラントの状況から本質的な要素を推定し、更に新たな操作を補う等する必要がある。
【０００４】
このような複雑なプラントの操業管理においてオペレータへの支援を行うために、過去の異常時の操業事例に基づいて原因解決のための対処を操業パターンとして蓄積しておき、現在のプロセス状態に対応するものを参照して操作を行うようにしたプラント運転支援装置が開発されている。
このようなプラント運転支援装置としては、過去のアラーム（異常）や操業パターンに対する事象を特徴量抽出して事象データベースとして保存しておき、現在のプラントデータと類似した事象を前記事象データベースから検索して提示してプラント運転を支援するものがある（特許文献１）。
さらに、より複雑な系における操業判断に適切な支援を行えるようにするために、過去の操業におけるオペレータのコメントなどを記録しておき、操業パターンによる操作ガイドを行うとともに、過去の操業実績から現状に応じたガイダンス表示を行うことで、柔軟な対応ができるようにしたものも開発されている（特許文献２）。
【０００５】
【特許文献１】特開２００１−２５５９２９号公報
【特許文献２】特開２００８−９７４５８号公報
【発明の開示】
【発明が解決しようとする課題】
【０００６】
特許文献１に記載されたプラント運転支援装置では、このような複雑な反応系を持つような、複雑なプロセスを有するプラントに対して任意の操作に対するプロセスデータの変化を自動的に特徴抽出することが難しい。したがって、操業パターンを特定し、操作によって起こった事象を正確に、かつ迅速に特定することが難しく、操業支援を適切に行うことが難しい。
特許文献２に記載されたプラント運転支援装置では、操業パターンによる操作ガイドに加えて過去実績に基づくガイダンス表示により、柔軟な操作をも行うことができ、前述した特許文献１における問題を解消できる。
しかし、特許文献２に記載されたプラント運転支援装置においても、操業パターンは予め過去実績や熟練者の知識に基づいて編集され、固定的な操業パターンとして蓄積されているものである。このため、より柔軟な操業支援効果が十分でないとともに、中長期的な操業内容の変化などに対応するために、定期的な操業パターンの見直しなどの保守が煩雑になる可能性がある。
【０００７】
本発明の主な目的は、オペレータへの操業パターン例を提示して操業ガイダンスするプラント操業支援において、操業パターンの変化にも柔軟に対応できるプラント操業支援装置、プラント操業支援方法、コンピュータプログラム及び記憶媒体を提供することにある。
【課題を解決するための手段】
【０００８】
本発明のプラント操業支援装置は、プロセスに対するオペレータの指示に基づく操作と前記操作によるプロセスデータの変化との組み合わせを含む操業パターンを蓄積しておく操業パターンデータベースと、前記操業パターンを参照しかつオペレータの指示に基づく操作に基づいて前記操業パターンを改変して前記プロセスへの操業指令を作成する操業指令部とを有し、オペレータへの操業パターンを提示して操業ガイダンスするプラント操業支援装置であって、
前記操業指令部での前記操業パターンの改変を検出する操業パターン改変検出部と、
検出された前記改変の内容に基づいて前記操業パターンを編集する操業パターン編集部と、を有することを特徴とする。
【０００９】
このような本発明では、操業パターンデータベースに蓄積された操業パターンを参照して操業指令を作成することで、複雑なプロセスの操業であっても過去の操業実績を活用して適切な操業が行えるように支援することができる。特に、操業パターンに対してオペレータによる改変が行われた際には、検出された改変の内容に基づいて操業パターンを編集することができ、より柔軟な操業支援効果が得られるとともに、中長期的な操業内容の変化などにも対応することができ、さらに定期的な操業パターンの見直しなどの保守を容易にすることができる。
【００１０】
本発明のプラント操業支援装置において、
前記操業パターン改変検出部は、前記改変として前記操業パターンに含まれる操作の変更、省略、追加の少なくとも何れかを検出することが望ましい。
このような本発明では、改変の対象である操作について、その改変の属性を変更、省略、追加に分類しておくことで、各々の処置を適切に行うことができる。
【００１１】
本発明のプラント操業支援装置において、
前記操業パターン改変検出部で検出された前記改変の検出履歴を蓄積する検出履歴データベースと、前記操作の変更、省略、追加の何れかが予め指定された累積回数になった際に前記改変の内容を前記操業パターン編集部へ送る頻度検出部と、を有することが望ましい。
このような本発明では、変更、省略、追加の何れかが予め指定された累積回数になった場合にのみ改変を反映した改訂を行うことで、繰り返し行われた頻度の高い改変のみに対応することができ、単発の改変などによる過剰な改訂を回避することができる。
【００１２】
本発明のプラント操業支援装置において、
前記操業パターン編集部は、前記改変の内容に基づいて編集した改訂操業パターンを表示し、オペレータの確認を得てから前記操業パターンデータベースに登録することが望ましい。
このような本発明では、改訂操業パターンをオペレータの確認を得てから操業パターンデータベースに登録するため、システムによる過剰な改訂などを未然に回避でき、操業上有効と考えられる改訂のみを蓄積することができる。
【００１３】
本発明のプラント操業支援方法は、プロセスに対するオペレータの指示に基づく操作と前記操作によるプロセスデータの変化との組み合わせを含む操業パターンを蓄積しておくステップと、前記操業パターンを参照しかつオペレータの指示に基づく操作に基づいて前記操業パターンを改変して前記プロセスへの操業指令を作成し、オペレータへの操業パターンを提示して操業ガイダンスするステップとを有するプラント操業支援方法において、
前記操業指令部での前記操業パターンの改変を検出するステップと、
検出された前記改変の内容に基づいて前記操業パターンを編集するステップと、を有することを特徴とする。
本発明のコンピュータプログラムは、コンピュータシステムに読み込み可能で、このコンピュータシステムを前述した本発明のプラント操業支援装置として機能させることを特徴とする。
本発明の記憶媒体は、コンピュータで読み取り可能であって、前述した本発明のコンピュータプログラムを記憶したことを特徴とする。
これらの本発明では、前述した操業支援装置で説明したものと同様の作用効果が得られる。
【発明を実施するための最良の形態】
【００１４】
以下、本発明の一実施形態について、図面を参照しながら説明する。
図１において、プラント１０は例えば製鉄所の高炉プラントであり、内部において複雑なプロセスが実施される。
プラント操業支援装置２０は、本発明に基づいてプラント１０の操業支援を行うものであり、プラント１０の操業実績を記録する操業実績データベース２１、プラント１０の操業パターンを記録する操業パターンデータベース２２、操業実績データベース２１を管理する操業実績管理部２３、操業実績データベース２１および操業パターンデータベース２２の情報を参照してプラント１０への操業指令を行う操業支援部２４、操業パターンデータベース２２を管理する操業パターン管理部２５を有する。
【００１５】
操業実績データベース２１は、プラント１０における操業実績データを記録するものであり、操業実績データとしてはプラント１０の操業状態を測定するために配設された各種のセンサからのデータ、及び製造装置の運転状況を示すデータからなるプロセスデータ並びに操業支援部２４からプラント１０へ与えられた操作指令データが主な構成となる。
操業実績データベース２１に蓄積された操業実績データは、現在の操業状況と同じようなパターンを検索し参照することで操業支援に活用される。また、操業実績データを解析することでプロセスの異常解析などに利用され、操業パターンデータベース２２に記録される操業パターンの作成にも操業実績データが参照される。
【００１６】
操業パターンデータベース２２は、予め複数の操業パターンが記録されたものであり、記録された操業パターンは操業支援部２４により参照され、操業支援に利用される。
操業パターンとは、現在のプロセス状況に対して適切とされる一連の操作を指定するものであり、同様なプロセス状況に対する過去の操作実績を参照して定型化されたものである。
操業パターンは、後述するようにシステムにより適用可能な候補が選択され（図５参照）、オペレータが選択することで選択した操業パターンに基づく一連の操作指令が出される。操業パターンは、プラント１０の状態変化に応じて途中で条件分岐するものとされ、画面（例えば後述する操業支援部２４の表示装置２４２）に表示された場合にはいわゆるフローチャートのような分岐パターンとして表れる（図２および図３参照）。
【００１７】
図２には、表示画面された操業パターンの一例が示されている。
図２において、表示画面３０には、中央に操業パターン３１が表示され、画面上部に実行条件部３２、画面下部にコメント欄３３が表示されている。
操業パターン３１は、オペレータによる操作（図中の「操作１」など）と、その結果となるプロセスデータ判定（図中「プロセスデータ判定１」など）との対を基本単位とし、プロセスデータ判定でプロセスデータの基準値と実際値とを比較することで分岐するパターンとなっている。オペレータは、操業パターンに従って操作を行い、その反応によって次の操作を選択することになる。この操作については後に詳述する。
実行条件部３２は、現在のプラント１０において、操業パターンを適用できる条件が一つ以上ある場合にボタンとして表示される。実行条件部３２のボタンのそれぞれには、操業パターンを実行するための条件が格納されている。例えば、ある操業パターンＡを実行するための条件が、溶銑温度が１５００℃以下で、炉内圧損が２気圧以上である場合は、その条件が格納される。
コメント欄３３には、現在表示している操業パターンに対して過去にオペレータが追加した操業メモが表示される。現状で追加したいコメントがあれば、オペレータは操業メモとして記録しておくことができる。
【００１８】
図１に戻って、操業実績管理部２３は、操業実績データベース２１に操業実績データを蓄積する操業実績蓄積部２３１を有し、操業実績データベース２１を管理するための一般的なデータベース管理ツールを有する。
操業実績蓄積部２３１は、操業実績データベース２１に操業実績データを蓄積するものである。具体的に、操業実績蓄積部２３１は、プラント１０から定常的にプロセスデータを収集するとともに、操業支援部２４から操作指令データがプラント１０へ与えられた際にこれを収集する。
本実施形態においては、後述する操業パターンの改変の検出あるいは操業パターンの編集のために、操業実績データは操業支援部２４で現在実行中の操業パターンに紐付けて記録される。
操業実績データは、操作指令データ（例えばオペレータによるプラントの操作量、操作時間間隔など）に加えて、操作に伴うプロセスデータの変化（オペレータの操作の結果として表れる温度、圧力、時間等の変化等）が含まれる。
【００１９】
高炉のように、固体、液体、気体の時定数の違う反応が同時に進行する複雑な反応系を持つプラントにおいては、複数の操業パターンを同時進行させる場合も多い。
図４には、複数の操業パターンが進行する状態を模式的に示す。
例えば、操業パターンＡを実行している間に、操業パターンＢの実行条件を満たし、操業パターンＢを同時に実行する場合もある。また、操業パターンＤを実行 している間に操業パターンＥの実行条件を満たし、操業パターンＤの実行を一時中断し、操業パターンＥの実行が終了した後に、操業パターンＤの実行を再開する場合もある。
このような複数の操業パターンが同時進行する場合、温度、圧力等の変化が実行中の操業パターンの操作のどれに関連するものかを明確にする必要がある。このために、操業実績データにはオペレータによるプラントの操作結果も紐付けて記録される。
【００２０】
図１に戻って、操業支援部２４は、操業実績データベース２１および操業パターンデータベース２２の情報を参照してプラント１０への操業指令を行うものであり、オペレータの操作に基づいてプラント１０への操業指令を行う操作指令部２４１、オペレータに対する表示画面を行う表示装置２４２、オペレータの操作を受け付ける入力装置２４３を有する。さらに、オペレータによる操業指令を支援するために、操業パターンデータベース２２から操業パターンを呼び出す操業パターン選択部２４４、操業実績データベース２１の操業実績データからプロセス現状に対して今後の予測を含めた操業ガイダンスを提供する操業ガイダンス部２４５を備えている。
【００２１】
操業パターン選択部２４４は、操業パターンデータベース２２に記録されているすべての操業パターンを読み出し、ネットワークを介してプラント（プラントを制御する制御装置を含む）からプロセスデータを参照して現状で実行条件を満たしている操業パターンを検出し、検出された実行条件（図２の実行条件部３２に相当）を表示するとともに、何れかの実行条件が選択された際に該当する操業パターンを表示画面する。
操業パターン選択部２４４は、検出された実行可能な全ての操業パターンから、何れかの操業パターンをオペレータに選択させる。
【００２２】
図５には、本実施形態における操業パターン選択画面の一例が示されている。
図５において、表示画面には、操業パターンデータベース２２に記録されている操業パターンが、オペレータに一目で分かるように操業パターンの名称とともに複数のボタン５０１，５０２として表示される。また、操業パターン選択部２４４で実行条件を満たしていると判別された操業パターンについては、色の異なるボタン５０２で表示される。
なお、操業パターンの選択画面においては、実行条件を満たしていると判別された操業パターンのみ画面に選択欄を表示するようにしてもよい。
オペレータは、これらの表示された操業パターンから１つの操業パターンを選択し、決定ボタン５０４をクリックすることにより、操業パターンを選択する。
選択画面にはコメント欄５０３が設けられており、オペレータは、例えばその操業パターンを選択した理由などを操業メモとして記録しておくことができる。
【００２３】
選択画面によりオペレータの選択が行われると、操業パターン選択部２４４は、選択された操業パターンを操作指令部２４１に渡し、操作指令部２４１は受け取った操業パターンに基づいてプラント１０へ操作指令を行う。
操業パターンに基づいて操作指令が実行されている間、操作指令部２４１は表示装置２４２に進捗状況表示を行う。
【００２４】
図３には、表示画面３０には進行中の操業パターン３１が表示されている。
図３において、操業パターン３１のうち、現在処理が完了した部分は太い点線などの強調により完了経路マーカ３４が表示され、その先頭に現在位置マーカ３５が表示されている。
操作指令部２４１は、一つの操作（図３では「操作１」）が選択されると、プラント１０から関連するプロセスデータを取得し、操業パターンにおける次の操業手順を判定する。例えば、図３の「操作１」が行われると、その操作に基づき温度勾配、反応時間等が異なる場合がある。操作指令部２４１は、「操作１」に対応する「プロセスデータ判定１」において操作結果としての温度勾配、反応時間等のプロセスデータの動きを参酌し、次に「操作２」を行うのか「操作３」を行うのかを判定し、操業パターンの最終手順まで判定を行う。
【００２５】
操業ガイダンス部２４５は、操業実績データベース２１に蓄積された操業実績データの中から、現在実行している操業パターンと最も似た操業実績を検索する。
具体的には、過去の同じ操業パターンによる操業実績の中から、操作時間間隔、操作量等の特徴量から最も似た操業実績を検索する。操業実績の検索は、まず、操業パターン毎に分類されている過去データに絞り、次に、現在までの操作と判定の経路でさらに絞り込む。そして、操作量（絶対値、操作幅）、判定用プロセスデータ変化量、変化確認までの時間といった評価値で評価関数を作成し、最も近い値を示した過去の操業実績を選択する。そして、検索した操業実績から、現在の実行状況に合わせてガイダンスに必要なデータを作成する。作成されたガイダンスは、表示画面３０の操業パターン３１に今後の予想経路として表示されるとともに、操業メモがコメント欄３３に表示される。
【００２６】
図３には、操作ガイダンスが追加された操業パターン３１が表示された表示画面３０が示されている。
図３において、操業パターン３１には、前述した図２と同様に完了経路マーカ３４および現在位置マーカ３５が表示されているとともに、未完了の部分に前述した操業ガイダンス部２４５が作成したガイダンスで予想される予想経路マーカ３６が太字などの強調で表示される。
また、過去の操業実績において操業メモが入力されている場合は、コメント欄３３に操作上の注意点などの操業メモが表示される。また、これ以外にも各操作における操作量、操作時間間隔など、必要な事項が表示される。
このようなコメント欄３３の操業メモにより、例えば、過去の操業実績においてそのオペレータが「操作２」において気体流量を数段階に分けて増やした方がより安定すると判断し、その旨の操業メモが残されていると、現在操作しているオペレータがその点について意識をしながら「操作２」を行うことができる。また、例えば、過去の操業実績においてそのオペレータが「操作４」の段階において、炉内温度などプロセスデータにばらつきがある場合の対処法などをノウハウとして操業メモに残すことにより、現在操作しているオペレータがそのノウハウに沿って「操作４」を行うことができる。
【００２７】
図１に戻って、操業パターン管理部２５は、操業パターンデータベース２２を管理するものであり、一般的なデータベース管理ツールを備えるとともに、操業パターン改訂部２５１および操業メモ編集部２５２を有する。
また、操業パターン改訂部２５１に対するオペレータの操作、操業メモ編集部２５２へのオペレータの入力を行うために、操業パターン管理部２５には表示装置２５８および入力装置２５９が接続されている。これらの表示装置２５８および入力装置２５９は、前述した操業支援部２４の表示装置２４２および入力装置２４３と兼用でよい。
【００２８】
操業パターン改訂部２５１は、図６に示す処理を実行することにより、実行済の操業パターンとその実行時のオペレータの操作実績を調べ、操業パターンの各操作についてオペレータの改変（操作の変更、追加、省略）が頻繁であれば、これを標準とするべく操業パターンの改変を行うものである。
【００２９】
図７に示すように、操業パターンＡでは本来「操作２」が行われるべきところ、オペレータにより「操作２Ａ」に変更されていたとする。このような変更が、同じように繰り返された場合、操業パターンＡにおける「操作２」部分は「操作２Ａ」を標準としたほうが運用時のオペレータの負荷軽減になる可能性が高い。
図８に示すように、操業パターンＡでは本来「操作２」だけが行われるべきところ、オペレータにより直後に「操作２Ａ」が追加されていたとする。このような変更が、同じように繰り返された場合、操業パターンＡにおける「操作２」部分は、「操作２」単独ではなく「操作２Ａ」を伴うように追加しておいたほうが運用時のオペレータの負荷軽減になる可能性が高い。
図９に示すように、操業パターンＡでは本来「操作２」が行われるべきところ、オペレータにより「操作２」が省略されていたとする（「操作２」の不使用）。このような省略が、同じように繰り返された場合、操業パターンＡにおける「操作２」は省略することを標準としておいたほうが運用時のオペレータの負荷軽減になる可能性が高い。
【００３０】
操業パターン改訂部２５１は、上述した図７〜図９のような操業パターンの改変（操作の変更、追加、省略）が頻繁な場合に操業パターンの改訂を行うものであり、そのための具体的な構成として、改変検出部２５３、頻度検出部２５４、検出履歴データベース２５５、操業パターン編集部２５６を備えている。
【００３１】
改変検出部２５３は、操作指令部２４１から実行済の操業パターンと、その実行時のオペレータの操作実績とをセットで取得し、各操作についてオペレータからの追加操作の有無を調べることで改変を検出する（図６の工程Ｓ６１）。この際、改変に関する情報（改変対象の操作、変更、追加、省略の別）も取得する（図６の工程Ｓ６２）。
検出履歴データベース２５５は、改変検出部２５３で検出された改変についての情報を蓄積する。改変に関する情報としては、改変された操業パターン、その実行日時、改変された操作、改変の種別（変更、追加、省略）、改変の内容（変更、追加の内容）が記録される。
【００３２】
頻度検出部２５４は、改変検出部２５３で検出された改変についての情報を検出履歴データベース２５５に蓄積するとともに、検出履歴データベース２５５における過去の履歴を検索し（図６の工程Ｓ６３）、頻繁な場合に操業パターン編集部２５６に改変に関する情報を送る。
ここで、頻度検出部２５４が操業パターン編集部２５６に改変に関する情報を送る基準、つまり改訂を実施する判定基準としては、次のような履歴カウントによる判定手法が採用できる（図６の工程Ｓ６４）。
検出履歴データベース２５５に蓄積された過去の改変の記録のうち、同じ内容の改変が同じもの（対象の操業パターンおよび操作が同じで、改変の種別および改変の内容が同じもの）が累積して所定の基準数（例えば１０個）に達した場合に、改訂を実施する。累積でカウントすることで、標準的な頻繁さを検出できる。
所定の集計期間内に改変が同じものが所定の基準数（例えば５個）に達した場合、改訂を実施する。集計期間を絞ることで集中的な多発状態を検出することができる。
なお、頻度検出部２５４は、改訂を実施する判定を行った際に、併せてリセット動作を行う（図６の工程Ｓ６７）。
リセット動作としては、例えば判定の基準としてカウント済の記録に無効マークあるいは済マークを付し、次回の参照の際には重複してカウントすることなく、新たなカウントが行われるようにする手法、あるいはカウンタを使用している場合には単にカウンタを０にリセットするだけでもよい。
【００３３】
操業パターン編集部２５６は、改変検出部２５３で検出された改変について、頻度検出部２５４が改訂を実施する判定基準を満たしたと判定した際に起動され、改変に関する情報に基づいて元の操業パターンを改訂する。そして、改訂版の操業パターンを表示装置２５８に表示させ、オペレータが改訂版を確認して入力装置２５９に確認の操作を行った場合に限り、この改訂版を操業パターンデータベース２２における元の操業パターンに上書きする（図６の工程Ｓ６８）。
これにより、該当する操業パターンは改訂版に書き換えられる。その結果、操業パターン選択部２４４が次に該当する操業パターンを呼び出す際には、改訂された操業パターンが読み出されることになる。
【００３４】
操業メモ編集部２５２は、前述した図２および図３におけるコメント欄３３の編集を行うものであり、現在表示中の操業パターンにおいてコメント欄３３にオペレータの書き込みがなされると、これを操業パターンデータベース２２における対応する操業パターンの操業メモとして書き込む処理を行う。
【００３５】
上述のように、本実施形態の操業パターン管理部２５においては、操業メモ編集部２５２による操業メモの追加が随時行えるとともに、操業パターン改訂部２５１によりオペレータの改変が頻繁な場合に操業パターンデータベース２２に操業パターンの改訂処理を自動的に起動することができる。
その結果、本実施形態のプラント操業支援装置２０においては、操業パターンを利用した操業支援を行うことができ、現在のプロセス状態に適した操業パターンを選択し、この操業パターンに基づいてプラントからのプロセスデータを参酌しつつプラントの操作を行うことができる。さらに、実際の操業の間に、実行中の操業パターンに対して操作の変更、追加、省略などの改変が頻繁になされる場合、こちらを標準として操業パターンを改訂することができる。
【００３６】
なお、本発明は前記実施形態に限定されるものではなく、下記のような他の実施形態あるいは変形なども本発明に含まれるものである。
前述した実施形態においては、プラント１０とプラント操業支援装置２０とは装置が別であり、有線または無線ネットワークを介してプロセスデータや操業パターン実行指示の信号のやり取りを行っているが、プラントと本発明のプラント操業支援装置とが同一の装置として機能することも可能である。
前述した実施形態においては、操業実績データベース２１および操業パターンデータベース２２がプラント操業支援装置２０に内蔵されているが、操業実績データベース２１および操業パターンデータベース２２の何れかをプラント操業支援装置２０の外部に設け、ネットワーク等でプラント操業支援装置２０と通信する構成としてもよい。
【００３７】
前述した実施形態において、プラント操業支援装置２０は、具体的にはＣＰＵ、ＲＡＭ、ＲＯＭ等を含むコンピュータシステムにより構成されるものである。したがって、本発明の各機能処理を実現するために、コンピュータにインストールされるコンピュータプログラム自体及びその記憶媒体も本発明に含まれる。
プログラムを供給するための記憶媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【産業上の利用可能性】
【００３８】
本発明は、プラント操業支援装置、プラント操業支援方法、コンピュータプログラム及び記憶媒体に関し、特に、高炉のような複雑な化学反応プロセスを処理するプラントの操業支援を行うために利用できる。
【図面の簡単な説明】
【００３９】
【図１】本発明の一実施形態におけるプラント操業支援装置を示すブロック図である。
【図２】前記実施形態における操業パターンの表示画面を示す図である。
【図３】前記実施形態における予想経路ガイダンス画面を示す図である。
【図４】前記実施形態における複数の操業パターンの同時進行を示す模式図である。
【図５】前記実施形態における操業パターン選択画面を示す図である。
【図６】前記実施形態における操業パターン改訂部の処理フローを示す図である。
【図７】前記実施形態における操業パターンの操作の変更を示す図である。
【図８】前記実施形態における操業パターンの操作の追加を示す図である。
【図９】前記実施形態における操業パターンの操作の省略を示す図である。
【符号の説明】
【００４０】
１０   プラント
２０   プラント操業支援装置
２１   操業実績データベース
２２   操業パターンデータベース
２３   操業実績管理部
２４   操業支援部
２５   操業パターン管理部
３０   表示画面
３１   操業パターン
３４   完了経路マーカ
３５   現在位置マーカ
３６   予想経路マーカ
３２   実行条件部
３３   コメント欄
２３１ 操業実績蓄積部
２４１ 操作指令部
２４２ 表示装置
２４３ 入力装置
２４４ 操業パターン選択部
２４５ 操業ガイダンス部
２５１ 操業パターン改訂部
２５２ 操業メモ編集部
２５３ 改変検出部
２５４ 頻度検出部
２５５ 検出履歴データベース
２５６ 操業パターン編集部
２５８ 表示装置
２５９ 入力装置
５０１，５０２       ボタン
５０３ コメント欄
５０４ 決定ボタン
【図１】
2010108079.tif 000003
【図２】
2010108079.tif 000004
【図３】
2010108079.tif 000005
【図４】
2010108079.tif 000006
【図５】
2010108079.tif 000007
【図６】
2010108079.tif 000008
【図７】
2010108079.tif 000009
【図８】
2010108079.tif 000010
【図９】
2010108079.tif 000011